(57)【要約】【課題】汚染されたミストが噴霧部から噴霧されることを抑制できる便座装置およびトイレ装置を提供する。【解決手段】便器の上部に設置される便座装置であって、使用者が着座する便座と、便器の後方に配置されるケーシングと、ケーシングの内部に設けられ、便座に着座した使用者の局部に向けて水を吐水するノズルと、ケーシングの内部に設けられ、ノズルから吐水される水よりも小さい粒径の水または除菌水からなるミストを噴霧する噴霧部を有する噴霧装置と、噴霧装置を制御する制御装置と、を備えている。制御装置は、噴霧部からミストを噴霧する便器洗浄工程と、便器洗浄工程を実行するよりも前に、噴霧部に水または除菌水を供給することで噴霧部を洗浄する噴霧部洗浄工程と、を有する。【選択図】図７
2020180484.tif 000002
【特許請求の範囲】
【請求項１】
便器の上部に設置される便座装置であって、
使用者が着座する便座と、
前記便器の後方に配置されるケーシングと、
前記ケーシングの内部に設けられ、前記便座に着座した使用者の局部に向けて水を吐水するノズルと、
前記ケーシングの内部に設けられ、前記ノズルから吐水される水よりも小さい粒径の水または除菌水からなるミストを噴霧する噴霧部を有する噴霧装置と、
前記噴霧装置を制御する制御装置と、
を備え、
前記制御装置は、
前記噴霧部から前記ミストを噴霧する便器洗浄工程と、
前記便器洗浄工程を実行するよりも前に、前記噴霧部に水または除菌水を供給することで前記噴霧部を洗浄する噴霧部洗浄工程と、
を有することを特徴とする便座装置。
【請求項２】
前記噴霧部は、前記ケーシングの内部に形成された収納室に設けられ、
前記収納室は、前記ミストを前記ケーシングの外部に噴霧するための開口部と、前記噴霧部の下方のうち少なくとも一部を覆う底壁部と、を有することを特徴とする請求項１に記載の便座装置。
【請求項３】
前記底壁部は、前記便器の前記内面に向けて下方に傾斜する傾斜面を有していることを特徴とする請求項２に記載の便座装置。
【請求項４】
前記制御装置は、前記噴霧部洗浄工程を実行する場合に、前記噴霧部から噴霧される前記ミストの噴霧流速が、前記便器洗浄工程で前記噴霧部から噴霧される前記ミストの噴霧流速よりも低くなるように前記噴霧装置を制御することを特徴とする請求項１〜３のいずれか１項に記載の便座装置。
【請求項５】
前記噴霧部は、前記噴霧部に供給される水または除菌水を回転による遠心力を利用してミスト化することが可能な回転盤となっており、
前記制御装置は、前記噴霧部洗浄工程を実行する場合に、前記便器洗浄工程よりも少ない単位時間あたりの回転量で前記回転盤を回転させることを特徴とする請求項４に記載の便座装置。
【請求項６】
前記制御装置は、前記噴霧部洗浄工程を実行する場合に、前記回転盤に水または除菌水を供給した後に前記回転盤を回転させることを特徴とする請求項５に記載の便座装置。
【請求項７】
前記噴霧部は、前記噴霧部に供給される水または除菌水を、振動を利用してミスト化することが可能な振動部となっており、
前記制御装置は、前記噴霧部洗浄工程を実行する場合に、前記便器洗浄工程よりも小さい振幅で前記振動部を振動させることを特徴とする請求項４に記載の便座装置。
【請求項８】
前記噴霧部は、水圧を利用して水または除菌水のミストを噴霧する噴霧口部となっており、
前記制御装置は、前記噴霧部洗浄工程を実行する場合に、前記便器洗浄工程よりも単位時間あたりの前記噴霧口部に対する給水量を下げることを特徴とする請求項４に記載の便座装置。
【請求項９】
汚物を受けるボウル部と、上縁部を形成するリム部と、を有する便器と、
前記便器の上部に設置され使用者が着座する便座と、
前記便座に着座した使用者の局部に向けて水を吐水するノズルと、
前記ノズルから吐水される水よりも小さい粒径の水または除菌水からなるミストを噴霧する噴霧部を有する噴霧装置と、
前記噴霧装置を制御する制御装置と、
を備え、
前記制御装置は、
前記噴霧部から前記ミストを噴霧する便器洗浄工程と、
前記便器洗浄工程を実行するよりも前に、前記噴霧部に水または除菌水を供給することで前記噴霧部を洗浄する噴霧部洗浄工程と、
を有することを特徴とするトイレ装置。
【請求項１０】
前記制御装置は、前記噴霧部洗浄工程を実行する場合に、前記噴霧部から噴霧される前記ミストの噴霧流速が、前記便器洗浄工程で前記噴霧部から噴霧される前記ミストの噴霧流速よりも低くなるように前記噴霧装置を制御することを特徴とする請求項９に記載のトイレ装置。
【請求項１１】
前記噴霧部は、前記噴霧部に供給される水または除菌水を回転による遠心力を利用してミスト化することが可能な回転盤となっており、
前記制御装置は、前記噴霧部洗浄工程を実行する場合に、前記便器洗浄工程よりも少ない単位時間あたりの回転量で前記回転盤を回転させることを特徴とする請求項１０に記載のトイレ装置。
【請求項１２】
前記制御装置は、前記噴霧部洗浄工程を実行する場合に、前記回転盤に水または除菌水を供給した後に前記回転盤を回転させることを特徴とする請求項１１に記載のトイレ装置。
【請求項１３】
前記噴霧部は、前記噴霧部に供給される水または除菌水を、振動を利用してミスト化することが可能な振動部となっており、
前記制御装置は、前記噴霧部洗浄工程を実行する場合に、前記便器洗浄工程よりも小さい振幅で前記振動部を振動させることを特徴とする請求項１０に記載のトイレ装置。
【請求項１４】
前記噴霧部は、水圧を利用して水または除菌水のミストを噴霧する噴霧口部となっており、
前記制御装置は、前記噴霧部洗浄工程を実行する場合に、前記便器洗浄工程よりも単位時間あたりの前記噴霧口部に対する給水量を下げることを特徴とする請求項１０に記載のトイレ装置。
【発明の詳細な説明】
【技術分野】
【０００１】
本発明の態様は、一般的に、便座装置およびトイレ装置に関する。
【背景技術】
【０００２】
従来、便座装置のケーシングの内部または外部に設けられ、便器のボウル部の表面に水または殺菌水を噴霧する噴霧部を備えた便座装置が知られている（特許文献１、２）。
このような便座装置は、使用者を検知してから使用者が用便行為を行う前に、噴霧部により水または殺菌水（除菌水）をボウル部の表面に噴霧する。これにより、ボウル部の表面に水膜を形成して、便などがボウル部の表面に付着することを抑制している。また、使用者を検知しなくなってから所定時間が経過した後に、噴霧部からボウル部の表面に殺菌水を噴霧することで、菌がボウルの表面で繁殖することを抑制している。
【先行技術文献】
【特許文献】
【０００３】
【特許文献１】特開２０１２−８２６１５号公報
【特許文献２】特開２０１８−１３１７７３号公報
【発明の概要】
【発明が解決しようとする課題】
【０００４】
ところで、上述した特許文献１に記載された噴霧部は、便座装置のケーシングの外部に露出して設けられている。この場合、噴霧部は、汚水または汚物により汚染される可能性がある。噴霧部が汚染された場合には、汚染されたミストが噴霧部から噴霧される可能性がある。汚染されたミストは、粒径が小さいのでトイレ室の空間を浮遊したり、使用者が触れる便座に着水したりする虞がある。
【０００５】
一方、上述した特許文献２に記載された噴霧部は、便座装置のケーシングの内部に収納されている。しかし、ミストを噴霧するときには、噴霧部がケーシングの内部から外部に露出するので、噴霧部および噴霧部の収納室が汚水または汚物により汚染される可能性がある。このような場合にも、噴霧部から汚染されたミストが噴霧される虞がある。
【０００６】
本発明は、かかる課題の認識に基づいてなされたものであり、汚染されたミストが噴霧部から噴霧されることを抑制できる便座装置およびトイレ装置を提供することを目的とする。
【課題を解決するための手段】
【０００７】
第１の発明は、便器の上部に設置される便座装置であって、使用者が着座する便座と、前記便器の後方に配置されるケーシングと、前記ケーシングの内部に設けられ、前記便座に着座した使用者の局部に向けて水を吐水するノズルと、前記ケーシングの内部に設けられ、前記ノズルから吐水される水よりも小さい粒径の水または除菌水からなるミストを噴霧する噴霧部を有する噴霧装置と、前記噴霧装置を制御する制御装置と、を備え、前記制御装置は、前記噴霧部から前記ミストを噴霧する便器洗浄工程と、前記便器洗浄工程を実行するよりも前に、前記噴霧部に水または除菌水を供給することで前記噴霧部を洗浄する噴霧部洗浄工程と、を有することを特徴とする便座装置である。
【０００８】
この便座装置によれば、ミストを噴霧する噴霧部をケーシングの内部に設けているので、噴霧部が汚水や汚物により汚染されるのを抑制することができる。また、制御装置は、噴霧部によってミストを噴霧する便器洗浄工程を実行するよりも前に、噴霧部に水または除菌水を供給することによって噴霧部を洗浄する噴霧部洗浄工程を実行する。これにより、便器洗浄工程で汚染されたミストが噴霧されるのを低減することができるので、使用者が触れる便座に汚染されたミストが着水したり、トイレ空間内に汚染されたミストが浮遊したりするのを抑制できる。
【０００９】
第２の発明は、第１の発明において、前記噴霧部は、前記ケーシングの内部に形成された収納室に設けられ、前記収納室は、前記ミストを前記ケーシングの外部に噴霧するための開口部と、前記噴霧部の下方のうち少なくとも一部を覆う底壁部と、を有することを特徴とする便座装置である。
【００１０】
この便座装置によれば、噴霧部が収納された収納室に底壁部を設けることにより、使用者による排泄行為で便器の内面から跳ねた汚水や汚物が収納室に浸入するのを抑制することができる。また、収納室に開口部と底壁部とを設けることにより、噴霧部に供給される水または除菌水を収納室に一時的に貯留可能とすることができる。すなわち、収納室内に供給された水または除菌水は、底壁部上に一時的に貯留されてから開口部を介して収納室の外部に排出される。従って、仮に汚水や汚物が収納室に浸入したとしても、収納室の広い範囲に水または除菌水を行き渡らせることができ、収納室内に付着した汚水や汚物を洗い流すことができる。
【００１１】
第３の発明は、第２の発明において、前記底壁部は、前記便器の前記内面に向けて下方に傾斜する傾斜面を有していることを特徴とする便座装置である。
【００１２】
収納室に設けられた底壁部に残水が発生すると、収納室がスケールや菌に汚染される虞がある。しかし、この便座装置によれば、底壁部は便器の内面に向けて傾斜する傾斜面を有しているので、底壁部上の残水は傾斜面に沿って便器の内面へと導かれる。これにより、収納室の内部にスケールや菌が繁殖するのを抑制することができる。
【００１３】
第４の発明は、第１〜第３のいずれか１つの発明において、前記制御装置は、前記噴霧部洗浄工程を実行する場合に、前記噴霧部から噴霧される前記ミストの噴霧流速が、前記便器洗浄工程で前記噴霧部から噴霧される前記ミストの噴霧流速よりも低くなるように前記噴霧装置を制御することを特徴とする便座装置である。
【００１４】
便器洗浄工程を実行する前に、噴霧部洗浄工程で噴霧部を洗浄したとしても、収納室が汚染されていた場合には、便器洗浄工程で収納室に付着した汚水や汚物がミストに混入する虞がある。しかし、この便座装置によれば、噴霧部洗浄工程において、噴霧部だけでなく収納室も洗浄することができるので、便器洗浄工程で清潔なミストを便器の内面に噴霧することができる。
【００１５】
すなわち、収納室に底壁部を有していない場合には、便器洗浄工程での噴霧流速よりも低い噴霧流速となるように噴霧部洗浄工程でミストを噴霧することで、便器の内面に勢いよくミストが噴霧されるのを低減しつつ、収納室の内部にミストを噴霧して収納室および噴霧部の洗浄を行うことができる。また、収納室に底壁部を有している場合には、収納室に一時的に貯留された水または除菌水を撹拌させて収納室と噴霧部との洗浄を行うことができる。これらの場合、噴霧部から収納室の内部（壁部）に噴霧された水または除菌水のミストは、収納室の内部を洗浄しながらミストが結合されて、収納室の内部から外部に向けて流れ落ちる。その結果、便器洗浄工程を実行した場合に、使用者が触れる便座に汚染されたミストが着水したり、トイレ空間内に汚染されたミストが浮遊したりするのを抑制できる。
【００１６】
第５の発明は、第４の発明において、前記噴霧部は、前記噴霧部に供給される水または除菌水を回転による遠心力を利用してミスト化することが可能な回転盤となっており、前記制御装置は、前記噴霧部洗浄工程を実行する場合に、前記便器洗浄工程よりも少ない単位時間あたりの回転量で前記回転盤を回転させることを特徴とする便座装置である。
【００１７】
この便座装置によれば、水または除菌水のミスト化を回転盤の回転による遠心力を利用している。そして、噴霧部洗浄工程では、回転盤の単位時間あたりの回転量を少なくすることで、ミストの噴霧流速を低くして便器の内面に向けてミストが噴霧されるのを低減しつつ、多くのミストを収納室に着水させている。これにより、収納室を積極的に洗浄することができる。また、ミストは、回転盤から一方向だけではなく、周方向に噴霧されるので、収納室の全体を洗浄することができる。さらに、収納室に一時的に貯留された水または除菌水を回転盤で攪拌することにより、収納室内に水または洗浄水の旋回流を作り出すことができるので、収納室を効果的に洗浄することができる。
【００１８】
第６の発明は、第５の発明において、前記制御装置は、前記噴霧部洗浄工程を実行する場合に、前記回転盤に水または除菌水を供給した後に前記回転盤を回転させることを特徴とする便座装置である。
【００１９】
この便座装置によれば、噴霧部洗浄工程で回転盤（噴霧部）からミストを噴霧させるよりも前に、回転盤に水または除菌水を供給することで、回転盤に付着した汚水や汚物を洗浄することができる。これにより、使用者が触れる便座にミストが着水したり、トイレ空間内に汚染されたミストが浮遊したりするのを抑制できる。
【００２０】
第７の発明は、第４の発明において、前記噴霧部は、前記噴霧部に供給される水または除菌水を、振動を利用してミスト化することが可能な振動部となっており、前記制御装置は、前記噴霧部洗浄工程を実行する場合に、前記便器洗浄工程よりも小さい振幅で前記振動部を振動させることを特徴とする便座装置である。
【００２１】
この便座装置によれば、水または除菌水のミスト化を振動部の振動を利用している。そして、噴霧部洗浄工程では、振動部の振幅を小さくすることで、ミストの噴霧流速を低くして便器の内面に向けてミストが噴霧されるのを低減しつつ、多くのミストを収納室に着水させている。これにより、収納室を積極的に洗浄することができる。また、振動部を振動させることにより、収納室内に一時的に貯留された水または除菌水を振動させることができるので、収納室に付着した汚れを効果的に洗浄することができる。
【００２２】
第８の発明は、第４の発明において、前記噴霧部は、水圧を利用して水または除菌水のミストを噴霧する噴霧口部となっており、前記制御装置は、前記噴霧部洗浄工程を実行する場合に、前記便器洗浄工程よりも単位時間あたりの前記噴霧口部に対する給水量を下げることを特徴とする便座装置である。
【００２３】
この便座装置によれば、水または除菌水のミスト化を水圧を利用して噴霧口部から噴霧している。すなわち、噴霧装置は、噴霧口部からミストを噴霧することが可能な噴霧ノズルとなっている。そして、噴霧部洗浄工程では、噴霧口部への単位時間あたりの給水量を下げることで、噴霧流速を低くして便器の内面に向けてミストが噴霧されるのを低減しつつ、多くのミストを収納室に着水させている。これにより、収納室を積極的に洗浄することができる。また、噴霧ノズルから水または除菌水を噴霧することにより、収納室に一時的に貯留された水または除菌水を攪拌して、収納室内に水または洗浄水の旋回流を作り出すことができるので、収納室を効果的に洗浄することができる。
【００２４】
第９の発明は、汚物を受けるボウル部と、上縁部を形成するリム部と、を有する便器と、前記便器の上部に設置され使用者が着座する便座と、前記便座に着座した使用者の局部に向けて水を吐水するノズルと、前記ノズルから吐水される水よりも小さい粒径の水または除菌水からなるミストを噴霧する噴霧部を有する噴霧装置と、前記噴霧装置を制御する制御装置と、を備え、前記制御装置は、前記噴霧部から前記ミストを噴霧する便器洗浄工程と、前記便器洗浄工程を実行するよりも前に、前記噴霧部に水または除菌水を供給することで前記噴霧部を洗浄する噴霧部洗浄工程と、を有することを特徴とするトイレ装置。
【００２５】
このトイレ装置によれば、制御装置は、噴霧部によってミストを噴霧する便器洗浄工程を実行するよりも前に、噴霧部に水または除菌水を供給することによって噴霧部を洗浄する噴霧部洗浄工程を実行する。これにより、便器洗浄工程で汚染されたミストが噴霧されるのを低減することができるので、使用者が触れる便座に汚染されたミストが着水したり、トイレ空間内に汚染されたミストが浮遊したりするのを抑制できる。
【００２６】
第１０の発明は、第９の発明において、前記制御装置は、前記噴霧部洗浄工程を実行する場合に、前記噴霧部から噴霧される前記ミストの噴霧流速が、前記便器洗浄工程で前記噴霧部から噴霧される前記ミストの噴霧流速よりも低くなるように前記噴霧装置を制御することを特徴とするトイレ装置である。
【００２７】
便器洗浄工程を実行する前に、噴霧部洗浄工程で噴霧部を洗浄したとしても、収納室が汚染されていた場合には、便器洗浄工程で収納室に付着した汚水や汚物がミストに混入する虞がある。しかし、このトイレ装置によれば、噴霧部洗浄工程において、噴霧部だけでなく収納室も洗浄することができるので、便器洗浄工程で清潔なミストを便器の内面に噴霧することができる。
【００２８】
すなわち、便器洗浄工程よりも低い噴霧流速となるように噴霧部洗浄工程でミストを噴霧することで、便器の内面に勢いよくミストが噴霧されるのを低減しつつ、収納室の内部にミストを着水させて収納室の洗浄を行うことができる。また、収納室に一時的に貯留された水または除菌水を撹拌させて収納室の洗浄を行うことができる。この場合、噴霧部から収納室の内部（壁部）に噴霧された水または除菌水のミストは、収納室の内部を洗浄して、ミストが結合することにより大きな粒となって開口部から便器内に流れ落ちる。その結果、便器洗浄工程を実行した場合に、使用者が触れる便座に汚染されたミストが着水したり、トイレ空間内に汚染されたミストが浮遊したりするのを抑制できる。
【００２９】
第１１の発明は、第１０の発明において、前記噴霧部は、前記噴霧部に供給される水または除菌水を回転による遠心力を利用してミスト化することが可能な回転盤となっており、前記制御装置は、前記噴霧部洗浄工程を実行する場合に、前記便器洗浄工程よりも少ない単位時間あたりの回転量で前記回転盤を回転させることを特徴とするトイレ装置である。
【００３０】
このトイレ装置によれば、水または除菌水のミスト化を回転盤の回転による遠心力を利用している。そして、噴霧部洗浄工程では、回転盤の単位時間あたりの回転量を少なくすることで、ミストの噴霧流速を低くして便器の内面に向けてミストが噴霧されるのを低減しつつ、多くのミストを収納室に着水させている。これにより、収納室を積極的に洗浄することができる。また、ミストは、回転盤から一方向だけではなく、周方向に噴霧されるので、収納室の全体を洗浄することができる。さらに、収納室に一時的に貯留された水または除菌水を回転盤で攪拌することにより、収納室内に水または洗浄水の旋回流を作り出すことができるので、収納室を効果的に洗浄することができる。
【００３１】
第１２の発明は、第１１の発明において、前記制御装置は、前記噴霧部洗浄工程を実行する場合に、前記回転盤に水または除菌水を供給した後に前記回転盤を回転させることを特徴とするトイレ装置である。
【００３２】
このトイレ装置によれば、噴霧部洗浄工程で回転盤（噴霧部）からミストを噴霧させるよりも前に、回転盤に水または除菌水を供給することで、回転盤に付着した汚水や汚物を洗浄することができる。これにより、使用者が触れる便座にミストが着水したり、トイレ空間内に汚染されたミストが浮遊したりするのを抑制できる。
【００３３】
第１３の発明は、第１０の発明において、前記噴霧部は、前記噴霧部に供給される水または除菌水を、振動を利用してミスト化することが可能な振動部となっており、前記制御装置は、前記噴霧部洗浄工程を実行する場合に、前記便器洗浄工程よりも小さい振幅で前記振動部を振動させることを特徴とするトイレ装置である。
【００３４】
このトイレ装置によれば、水または除菌水のミスト化を振動部の振動を利用している。そして、噴霧部洗浄工程では、振動部の振幅を小さくすることで、ミストの噴霧流速を低くして便器の内面に向けてミストが噴霧されるのを低減しつつ、多くのミストを収納室に着水させている。これにより、収納室を積極的に洗浄することができる。また、振動部を振動させることにより、収納室内に一時的に貯留された水または除菌水を振動させることができるので、収納室に付着した汚れを効果的に洗浄することができる。
【００３５】
第１４の発明は、第１０の発明において、前記噴霧部は、水圧を利用して水または除菌水のミストを噴霧する噴霧口部となっており、前記制御装置は、前記噴霧部洗浄工程を実行する場合に、前記便器洗浄工程よりも単位時間あたりの前記噴霧口部に対する給水量を下げることを特徴とするトイレ装置である。
【００３６】
このトイレ装置によれば、水または除菌水のミスト化を水圧を利用して噴霧口部から噴霧している。すなわち、噴霧装置は、噴霧口部からミストを噴霧することが可能な噴霧ノズルとなっている。そして、噴霧部洗浄工程では、噴霧口部への単位時間あたりの給水量を下げることで、噴霧流速を低くして便器の内面に向けてミストが噴霧されるのを低減しつつ、多くのミストを収納室に着水させている。これにより、収納室を積極的に洗浄することができる。また、噴霧ノズルから水または除菌水を噴霧することにより、収納室に一時的に貯留された水または除菌水を攪拌して、収納室内に水または洗浄水の旋回流を作り出すことができるので、収納室を効果的に洗浄することができる。
【発明の効果】
【００３７】
本発明の態様によれば、便器およびトイレ室の空間に汚染されたミストが噴霧されるのを抑制することができる。
【図面の簡単な説明】
【００３８】
【図１】本発明の第１実施形態に係るトイレ装置を示す斜視図である。
【図２】噴霧部洗浄工程が実行されているときに図１中のトイレ装置を矢示Ａ−Ａ方向からみた断面図である。
【図３】便器洗浄工程が実行されているときに図１中のトイレ装置を矢示Ａ−Ａ方向からみた断面図である。
【図４】便座装置およびトイレ装置の要部構成を示すブロック図である。
【図５】図５（ａ）〜図５（ｅ）は、便座装置のケーシングを示す平面図および斜視図である。
【図６】図６（ａ）、図６（ｂ）は、収納室と噴霧装置とを示す正面図および断面図である。
【図７】図７（ａ）、図７（ｂ）は、収納室に水または除菌水が一時的に貯留された状態を示す正面図および断面図である。
【図８】図８（ａ）、図８（ｂ）は、噴霧部を回転させて水または除菌水を収納室から排出する状態を示す正面図および断面図である。
【図９】図９（ａ）〜図９（ｃ）は、収納室に供給された水または除菌水の状態を示す写真である。
【図１０】図１０（ａ）、図１０（ｂ）は、噴霧部洗浄工程と便器洗浄工程とで噴霧部から噴霧されるミストを模式的に示す模式図である。
【図１１】図１１（ａ）、図１１（ｂ）は、噴霧部から噴霧されたミストの噴霧流速を計測する場合の一例を示す模式図である。
【図１２】制御装置が行う噴霧部洗浄工程と便器洗浄工程との制御処理の一例を示す流れ図である。
【図１３】図１２中の噴霧部洗浄工程の制御処理を示す流れ図である。
【図１４】入室検知、着座検知、局部洗浄、噴霧部洗浄工程、および便器洗浄工程を実行する場合の一例を示すタイムチャートである。
【図１５】図１５（ａ）〜図１５（ｃ）は、本発明の第２実施形態による超音波式の噴霧装置を示す断面図およびミストの噴霧状体を模式的に示す模式図である。
【図１６】本発明の第３実施形態による水圧式の噴霧装置を示す断面図である。
【図１７】図１７（ａ）、図１７（ｂ）は、本発明の第１変形例と第２変形例による収納室の底壁部を示す断面図である。
【図１８】本発明の第３変形例による噴霧部洗浄工程の制御処理を示す流れ図である。
【発明を実施するための形態】
【００３９】
以下、本発明の実施形態について図面を参照しつつ説明する。なお、各図面中、同様の構成要素には同一の符号を付して詳細な説明は適宜省略する。図１〜図１４は、本発明の便座装置およびトイレ装置による第１実施形態を示している。
図１は、本発明の第１実施形態に係るトイレ装置を示す斜視図である。
図２は、噴霧部洗浄工程が実行されているときに図１中のトイレ装置を矢示Ａ−Ａ方向からみた断面図である。
図３は、便器洗浄工程が実行されているときに図１中のトイレ装置を矢示Ａ−Ａ方向からみた断面図である。
【００４０】
図１に示すトイレ装置１は、洋式腰掛便器（以下説明の便宜上、単に「便器１００」と称する）と、便座装置１０と、を備える。便器１００は、汚物を受ける凹状のボウル部１０１を有する。便座装置１０は、便器１００の上部に設置されている。
【００４１】
便器１００の後方には、ケーシング１２が配置されている。使用者が着座する便座１４は、ケーシング１２に回動可能に軸支されている。便座１４の後側には、ケーシング１２に回動可能に軸支される便蓋１６が設けられている。図１の状態は、便座１４が閉じた状態（下げられた状態）であり、便蓋１６が開いた状態（上げられた状態）である。便蓋１６は、閉じた状態では、便座１４の座面１４ａを上方から覆う。
【００４２】
ケーシング１２には、使用者が便座１４に座ったことを検知する着座検知センサ２０が設けられている。また、ケーシング１２の内部には、便座１４に座った使用者の人体局部（「おしり」など）の洗浄を実現する身体洗浄機能部５８などが内蔵されている。着座検知センサ２０が便座１４に座った使用者を検知している場合において、使用者が例えばリモコンなどの手動操作部２４を操作すると、身体洗浄機能部５８のノズル５８ａを便器１００のボウル部１０１内に進出させることができる。なお、図１に示す便座装置１０では、ノズル５８ａがボウル部１０１内に進出した状態を表している。
【００４３】
ノズル５８ａの先端部には、ひとつまたは複数の吐水口５８０が設けられている。そして、ノズル５８ａは、その先端部に設けられた吐水口５８０から便座１４に着座した使用者の局部に向けて水を吐水することにより、使用者の「おしり」などを洗浄することができる。なお、本願明細書において、「上方」、「下方」、「前方」、「後方」、「左側方」、および「右側方」のそれぞれは、開いた便蓋１６に背を向けて便座１４に座った使用者から見た方向である。
【００４４】
図２、図３に示すように、便器１００は、汚物を受けるボウル部１０１と、ボウル部１０１の上に設けられたリム部１０２を有する。リム部１０２は、便器１００の上縁部を形成する環状部分である。リム部１０２は、上面１０３と、内壁面１０４と、を有する。上面１０３は、閉じられた便座１４の裏面１４ｂと対面している。使用者が、手動操作部２４（リモコン）に設けられたスイッチによって便器洗浄の操作を行ったり、使用者が便座１４から立ち上がったりすると、便器洗浄（ボウル部１０１内の汚物を排出し、ボウル部１０１の内面１０１ａを洗浄する動作）が実行される。便器洗浄では、ボウル部１０１内に洗浄水が供給され、ボウル部１０１に溜水Ｗ１が溜められる。
【００４５】
また、図２に示すように、制御装置７０が噴霧部洗浄工程を実行しているときには、噴霧装置６０から便器１００の溜水Ｗ１に向けて水または除菌水からなるミストＭ１が落下する。一方、図３に示すように、制御装置７０が便器洗浄工程を実行しているときには、噴霧装置６０から便器１００の内面１０１ａおよび便座１４に向けて水または除菌水のミストＭ２が噴霧される。噴霧部洗浄工程および便器洗浄工程については、後述で説明する。
【００４６】
図４は、便座装置およびトイレ装置の要部構成を示すブロック図である。なお、図４は、水路系と電気系の要部構成を併せて表している。
着座検知センサ２０は、使用者の便座１４への着座の有無を検知することができる。着座検知センサ２０は、使用者の着座および離座を検知する。着座検知センサ２０には、マイクロ波センサ、測距センサ（赤外線投光式センサ）、超音波センサ、タクトスイッチ、静電容量スイッチ（タッチセンサ）、または歪みセンサを用いることができる。
【００４７】
なお、タクトスイッチ、静電センサおよび歪みセンサなどの接触式センサを用いる場合には、これらの接触式センサは、便座１４に設けられる。便座１４に使用者が座ると、使用者の体重によってタクトスイッチが押下される。または、使用者が静電センサに接触する。または、使用者の体重によって歪みセンサに圧力が加えられる。これらのセンサからの電気信号により、使用者の着座を検知することができる。
【００４８】
人体検知センサ２２は、便器１００の前方にいる使用者、すなわち便座１４から前方へ離間した位置に存在する使用者を検知することができる。つまり、人体検知センサ２２は、トイレ室に入室して便座１４に近づいてきた使用者を検知することができる。このような人体検知センサとして、例えば焦電センサ、マイクロ波センサ、超音波センサ、または測距センサ（赤外線投光式センサ）を用いることができる。人体検知センサ２２は、トイレ室のドアを開けて入室した直後の使用者や、トイレ室に入室する直前の使用者、すなわちトイレ室に入室しようとしてドアの前に存在する使用者を検知してもよい。例えば、マイクロ波センサを用いた場合には、トイレ室のドア越しに使用者の存在を検知することが可能となる。
【００４９】
手動操作部２４は、使用者が例えば任意のタイミングで除菌水の噴霧を行うための操作部である。手動操作部２４は、スイッチまたはボタンなどを有するリモコンであり、使用者が手動操作部２４を操作すると、除菌水の噴霧を指示する操作情報（信号）が制御装置７０に送られる。制御装置７０は、その操作情報に基づいて除菌装置５４や噴霧装置６０を制御する。これにより、使用者は、手動操作部２４を操作することで、除菌水の噴霧を行うことができる。また、手動操作部２４は、除菌水の噴霧だけでなく、使用者が便座装置１０の各機能を操作するためのスイッチやボタンなどを有していてもよい。各機能に対応した操作が行われると、その操作情報が制御装置７０に送られる。制御装置７０は、その操作情報に基づいて、便座装置１０の各部の動作を制御する。
【００５０】
また、ケーシング１２の内部には、便座用モータ２６、便蓋用モータ２８、便座ヒータ３０、送風装置３２、温風ヒータ３４、および風向き変更部３６が設けられている。便座用モータ２６は、制御装置７０からの指令に基づいて、電動で便座１４を回動させ開閉する。便蓋用モータ２８は、制御装置７０からの指令に基づいて、電動で便蓋１６を回動させ開閉する。
【００５１】
便座ヒータ３０は、例えば便座１４の内部に設けられている。便座ヒータ３０は、例えば便座１４の中央に形成された開口の周りに沿って設けられた環状の金属部材を有する。便座ヒータ３０は、制御装置７０からの指令に基づいて通電が行われることで、便座１４を温める。便座ヒータ３０としては、例えばチュービングヒータや、シーズヒータ、ハロゲンヒータ、カーボンヒータなどを用いてもよい。金属部材は、例えばアルミニウムや銅などで構成される。また、金属部材の形状は、シート状やワイヤ状、メッシュ状など、種々の形状を採用することができる。
【００５２】
送風装置３２は、例えばケーシング１２の内部に設けられたファンである。送風装置３２は、制御装置７０からの指令に基づいて動作する。送風装置３２は、例えばモータの回転に伴い羽根が回転することにより、便器１００内（ボウル部１０１内）に向けて送風することができる。送風装置３２は、便器洗浄工程において、噴霧装置６０から噴出されるミストＭ２を風に乗せて便器１００および便座１４に送る。送風装置３２は、例えばモータの回転制御により、風量を変更可能な風量変更部となっている。また、送風装置３２は、便座１４に座った使用者の局部に送風してもよい。
【００５３】
温風ヒータ３４は、送風装置３２によってケーシング１２の外部へ送られる空気を温める。これにより、使用者の局部に向けて温風を送り、局部を乾燥させることができる。また、風向き変更部３６は、ケーシング１２から便器１００内に向けて送られる風の向きを変更する。風向き変更部３６は、例えばモータによりダンパやルーバなどの向きを変更させて、便器１００内に送出される風の向きを変更する。風向き変更部３６は、便器１００内の風向きを変更することで、噴霧装置６０から噴出されたミストＭ２を便器１００および便座１４に効率よく行き渡らせる。
【００５４】
水路系において、便座装置１０は、管路４０〜４３、電磁弁５０、バキュームブレーカ５２、除菌装置５４、切替弁５６、ノズル５８ａ、ノズル洗浄室５８ｃ、および噴霧装置６０を有する。これらは、ケーシング１２内に配置されている。
【００５５】
管路４０は、水道や貯水タンクなどの図示しない給水源から供給された水を噴霧装置６０やノズル５８ａなどに導くためのものである。管路４０の上流側には、電磁弁５０が設けられている。電磁弁５０は、開閉可能な電磁バルブであり、ケーシング１２の内部に設けられた制御装置７０からの指令に基づいて水の供給を制御する。
【００５６】
管路４０上において、電磁弁５０の下流には、バキュームブレーカ５２が設けられている。このバキュームブレーカ５２は、例えば水を流すための流路と、流路内に空気を取り込むための吸気口と、吸気口を開閉する弁機構と、を有する。弁機構は、例えば流路に水が流れているときに吸気口を塞ぎ、水の流れの停止とともに吸気口を開放して流路内に空気を取り込む。すなわち、バキュームブレーカ５２は、管路４０に水の流れがないときに、空気を取り込む。弁機構には、例えばフロート弁が用いられる。バキュームブレーカ５２は、上記のように管路４０内に空気を取り込むことにより、例えば管路４０のバキュームブレーカ５２よりも下流の部分の水抜きを促進させる。バキュームブレーカ５２は、例えばノズル５８ａや噴霧装置６０からの水抜きを促進する。
【００５７】
管路４０上において、バキュームブレーカ５２の下流には、除菌水を生成する除菌装置５４が設けられている。除菌装置５４は、例えば次亜塩素酸などを含む除菌水を生成する。除菌装置５４としては、例えば電解槽ユニットが挙げられる。電解槽ユニットは、制御装置７０からの通電の制御によって、陽極板（図示せず）と陰極板（図示せず）との間の空間（流路）を流れる水道水を電気分解する。なお、除菌水は、次亜塩素酸を含むものには限定されない。除菌水は、例えば銀イオンや銅イオンなどの金属イオンを含む溶液、電解塩素やオゾンなどを含む溶液、酸性水またはアルカリ水などでもよい。除菌装置５４は電解槽に限らず、除菌水を生成可能な任意の構成でよい。
【００５８】
管路４０上において、除菌装置５４の下流には、切替弁５６が設けられている。切替弁５６の下流には、身体洗浄機能部５８のノズル５８ａやノズル洗浄室５８ｃ、噴霧装置６０が設けられている。管路４０は、切替弁５６により、ノズル５８ａへ水を導く管路４１、ノズル洗浄室５８ｃへ水を導く管路４２、および噴霧装置６０へ水を導く管路４３に分岐している。切替弁５６は、制御装置７０からの指令に基づいて、管路４１、管路４２、および管路４３のそれぞれの開閉を制御する。つまり、切替弁５６は、ノズル５８ａ、ノズル洗浄室５８ｃ、および噴霧装置６０への水の供給を制御する。また、切替弁５６は、その下流に供給する水の流量を変更する。管路４３は、噴霧装置６０の給水部となっている。
【００５９】
身体洗浄機能部５８は、ノズル５８ａ、ノズルモータ５８ｂ、ノズル洗浄室５８ｃ、およびノズルダンパ５８ｄを有している。ノズル５８ａは、非使用時にはノズルダンパ５８ｄの後方に位置してケーシング１２の内部に設けられている。そして、人体局部の洗浄時等において、ノズル５８ａは、ノズルモータ５８ｂからの駆動力を受け、ケーシング１２に対して開閉可能なノズルダンパ５８ｄを押圧して、便器１００のボウル部１０１内に進出する。ノズルモータ５８ｂは、制御装置７０からの指令に基づいて駆動する。ノズル５８ａは、ケーシング１２から前方へ進出した状態で、吐水口５８０から水を吐出して、人体局部を洗浄する。ノズル洗浄室５８ｃは、その内部に設けられた噴射口から除菌水あるいは水道水を噴射することにより、ノズル５８ａの外周表面（胴体）を洗浄する。
【００６０】
噴霧装置６０は、噴霧部洗浄工程と便器洗浄工程とを実行するときに作動するもので、ケーシング１２の内部に設けられている。噴霧装置６０は、身体洗浄機能部５８のノズル５８ａから吐水される水よりも小さい粒径の水または除菌水からなるミストＭ１，Ｍ２を便器１００の内面１０１ａに向けて噴霧する噴霧部６２を有している。噴霧部洗浄工程では、水または除菌水からなるミストＭ１が噴霧部６２から噴霧される。また、便器洗浄工程では、水または除菌水からなるミストＭ２が噴霧部６２から噴霧される。この場合、ミストＭ１は、ミストＭ２よりも大きい粒径でノズル５８ａの吐水口５８０から吐水される水よりも小さい粒径となっている。
【００６１】
噴霧装置６０は、噴霧部洗浄工程を実行する場合には水道水または除菌装置５４で生成された除菌水をミスト状にして、そのミストＭ１を噴霧部６２から噴霧する。ミストＭ１の噴霧流速Ｖ１は、ミストＭ２の噴霧流速Ｖ２よりも低くなっている（Ｖ１＜Ｖ２）。従って、ミストＭ１は、ボウル部１０１（便器１００）の内面１０１ａに散布されるのが抑制され、多くがボウル部１０１内の溜水Ｗ１に落下する。
【００６２】
一方、噴霧装置６０は、便器洗浄工程を実行する場合には水道水または除菌装置５４で生成された除菌水をミスト状にして、そのミストＭ２を噴霧部６２からボウル部１０１、リム部１０２、および便座１４に向けて噴霧する。換言すると、噴霧装置６０は、除菌水のミストＭ２または水道水のミストＭ２を、ボウル部１０１、リム部１０２、および便座１４に着水させる。噴霧装置６０の具体的な構成については後で説明する。なお、本願明細書において「着水」とは、水（除菌水または水道水）が物体の表面に付着することをいう。
【００６３】
制御装置７０は、ケーシング１２の内部に設けられ、図示しない電源回路から電力を供給される回路が用いられる。制御装置７０は、例えばマイコンなどの集積回路を含む。制御装置７０は、使用者を検知する人体検知センサ２２または着座検知センサ２０の検知情報、手動操作部２４の操作情報に基づいて、便座用モータ２６、便蓋用モータ２８、便座ヒータ３０、送風装置３２、温風ヒータ３４、風向き変更部３６、電磁弁５０、バキュームブレーカ５２、除菌装置５４、切替弁５６、ノズルモータ５８ｂ、および噴霧装置６０を制御する。
【００６４】
制御装置７０は、人体検知センサ２２の検知情報（使用者の存在の有無を示す信号）や、着座検知センサ２０の検知情報（使用者の着座の有無を示す信号）を受信し、受信した検知情報に基づいて、便座装置１０の各部の動作を制御する。
【００６５】
また、制御装置７０は、噴霧装置６０を制御する。この場合、制御装置７０は、噴霧装置６０の噴霧部６２から便器１００の内面１０１ａに向けてミストＭ２を噴霧する便器洗浄工程と、便器洗浄工程を実行するよりも前に、噴霧部６２に水または除菌水を供給することで噴霧部６２を洗浄する噴霧部洗浄工程と、を有する。便器洗浄工程は、例えばプレミストモード、アフターミストモード、定期ミストモード、および手動ミストモードの複数モードを有している。
【００６６】
プレミストモードは、使用者のトイレ装置１の使用前に、除菌水または水道水のミストＭ２を自動で噴霧する動作モードである。アフターミストモードは、使用者のトイレ装置１の使用後に、除菌水のミストＭ２を自動で噴霧する動作モードである。定期ミストモードは、例えば便座装置１０がトイレ装置１の不使用時間帯を学習制御して、除菌水のミストＭ２を自動で噴霧する動作モードである。手動ミストモードは、手動操作部２４の操作情報に基づいて、除菌水のミストＭ２を噴霧する動作モードである。
【００６７】
噴霧部洗浄工程は、これらミストモードで便器１００および便座１４に清潔なミストＭ２を着水させるために、噴霧部６２や噴霧部６２が収容される収納室１２１を洗浄する。従って、噴霧部洗浄工程は、便器洗浄工程の前に実行される。この場合、「便器洗浄工程の前に」とは、便器洗浄工程の「直前」に限らず、便器洗浄工程から所定時間前の「以前」も含んでいる。噴霧部洗浄工程と便器洗浄工程とは、独立した工程となっており、噴霧部洗浄工程は便器洗浄工程がなされるときに前もって必ず実行されるものには限られない。すなわち、便器洗浄工程は、噴霧部洗浄工程に継続して実行される場合に限らず、噴霧部洗浄工程が終了してから所定時間が経過した後に実行されてもよい。換言すると、噴霧部洗浄工程は、前回に実行された便器洗浄工程と、次回に実行される便器洗浄工程との間に実行される。このように、便器洗浄工程よりも前に噴霧部洗浄工程が実行されるので、便器洗浄工程では衛生性が担保されたミストの噴霧が実行できる。
【００６８】
制御装置７０は、噴霧部洗浄工程を実行する場合に、噴霧装置６０の噴霧部６２から噴霧されるミストＭ１の噴霧流速Ｖ１が便器洗浄工程で噴霧部６２から噴霧されるミストＭ２の噴霧流速Ｖ２よりも低くなるように噴霧装置６０を制御する（Ｖ１＜Ｖ２）。これにより、噴霧部洗浄工程では、ミストＭ１が便器１００の内面１０１ａに向けて勢いよく噴霧されないので、便器１００および便座１４にミストＭ１が着水するのを抑制できる。
【００６９】
図５（ａ）〜図５（ｅ）は、便座装置のケーシングを示す平面図および斜視図である。
図５（ａ）に示すように、噴霧装置６０、ノズルダンパ５８ｄ、および送風ダンパ３６ａは、便座装置１０が便器１００の上部に設置された状態において、ボウル部１０１の後方上部に位置する。図５（ｂ）は、図５（ａ）の一部を拡大して示している。なお、図５（ｂ）では、噴霧装置６０の前方に位置するケーシング１２（収納室１２１）の前壁部１２２を破断して、噴霧装置６０と噴霧部６２が収容される収納室１２１とを表している。図５（ｃ）〜図５（ｅ）は、噴霧装置６０、ノズルダンパ５８ｄおよび送風ダンパ３６ａの周辺を拡大して表す斜視図である。
【００７０】
ノズルダンパ５８ｄは、ケーシング１２の前壁１２ａに対して回動可能に軸支されている。ノズル５８ａは、ケーシング１２の内部に後退している状態では、ノズルダンパ５８ｄの後方に位置する。人体局部の洗浄時などにおいて、ノズル５８ａは、ノズルダンパ５８ｄに当接し、ノズルダンパ５８ｄを回動させて開き、ケーシング１２の内部から進出する。
【００７１】
送風ダンパ３６ａは、ノズルダンパ５８ｄの左側方に位置して、ケーシング１２の前壁１２ａに対して回動可能に軸支されている。送風ダンパ３６ａは、風向き変更部３６の一部を構成している。送風ダンパ３６ａの後方には、送風装置３２、温風ヒータ３４、および風向き変更部３６のルーバなどが配置されている。送風ダンパ３６ａは、ケーシング１２の開口１２０を覆う。送風装置３２から送られた空気は、風向き変更部３６により風向きを制御された状態で開口１２０から便器１００の内部へ送られる。
【００７２】
図５（ｃ）は、送風装置３２が動作を停止した状態であり、図５（ｄ）および図５（ｅ）は、送風装置３２が作動し、ボウル部１０１の内部に向けて送風している状態を示す。図５（ｃ）に示すように、送風が停止した状態においては、送風ダンパ３６ａは閉じている。図５（ｄ）に示すように、送風装置３２が作動すると、送風ダンパ３６ａは送風装置３２から送られる空気の圧力（風圧）により回動して開く。これにより、送風装置３２は、例えば矢示Ｃのように、ボウル部１０１内の後方上部からボウル部１０１内の前方下部へ向けて送風する。
【００７３】
図５（ｅ）は、図５（ｄ）の状態に比べて、送風装置３２が送る風量が多い（または風速が高い）状態となっている。この場合には、送風ダンパ３６ａは、図５（ｄ）の状態に比べて、さらに回動して開く。これにより、送風装置３２は、例えば矢示Ｄのように、ボウル部１０１内の後方上部からボウル部１０１内の前方上部へ向けて送風する。なお、送風ダンパ３６ａの後方に風向き変更部３６を構成するルーバなどを設けて、このルーバの向きを可変とすることにより、風向きを左右方向に変更させてもよい。
【００７４】
このように、送風装置３２から送られる風の方向は、風向き変更部３６（送風ダンパ３６ａ）によって変化する。制御装置７０は、送風装置３２の風量（風速）によって送風方向を制御することができる。そして、便器洗浄工程では、送風装置３２からの送風によって生じる気流に、噴霧装置６０から噴霧されたミストＭ２を乗せることで、ミストＭ２が着水する範囲および各範囲におけるミストＭ２の着水量（各範囲に着水する除菌水または水道水の量）を制御することができる。
【００７５】
図６（ａ）、図６（ｂ）は、収納室と噴霧装置とを示す正面図および断面図である。図６（ａ）は、収納室の前壁部を取外した状態で、噴霧装置と噴霧部が収納される収納室とを示す正面図である。図６（ｂ）は、図５（ｃ）中のケーシングを矢示Ｂ−Ｂ方向からみた断面図である。
図７（ａ）、図７（ｂ）は、収納室に水または除菌水が一時的に貯留された状態を示す正面図および断面図である。
図８（ａ）、図８（ｂ）は、噴霧部を回転させて水または除菌水を収納室から排出する状態を示す正面図および断面図である。
図９（ａ）〜図９（ｃ）は、収納室に供給された水または除菌水の状態を示す写真である。図９（ａ）は、図６（ａ）の状態を示す写真である。図９（ｂ）は、図７（ａ）の状態を示す写真である。図９（ｃ）は、図８（ａ）の状態を示す写真である。なお、図９では、収納室の内部および噴霧部を表すために、収納室の前壁部を取外した状態となっている。
【００７６】
ケーシング１２には、噴霧装置６０の噴霧部６２が収納される収納室１２１が設けられている。収納室１２１は、噴霧部６２の前方を覆う前壁部１２２と、噴霧部６２の下方を覆う底壁部１２３と、前壁部１２２と底壁部１２３との間に設けられた開口部１２４と、を有している。収納室１２１は、開口部１２４以外は前後方向、左右方向、および上下方向が囲まれた空間となっており、管路４３の給水口４３ａから供給された水Ｗ２（水道水または除菌装置５４で生成された除菌水）が一時的に貯留可能となっている。
【００７７】
前壁部１２２は、ケーシング１２の前壁１２ａの一部を構成している。底壁部１２３は、ケーシング１２の底壁１２ｂの一部を構成している。前壁部１２２と底壁部１２３とは、ケーシング１２に一体的に設けられていてもよいし、ケーシング１２とは別体で設けられていてもよい。
【００７８】
開口部１２４は、前壁部１２２と底壁部１２３との間に設けられている。開口部１２４は、前壁部１２２の下端１２２ａと底壁部１２３の前端１２３ａとの間に位置して、ボウル部１０１の内部と収納室１２１との間を連通している。
【００７９】
開口部１２４は、噴霧装置６０の噴霧部６２から噴霧されたミストＭ１，Ｍ２をケーシング１２の外部（便器１００の内部）に噴霧するためのものである。開口部１２４は、ミストＭ１，Ｍ２が噴霧されない状態においても開口している。すなわち、開口部１２４は、開閉可能なカバー部などで閉塞されることなく、便器１００の内部と収納室１２１との間を常時連通している。これにより、収納室１２１の通気性がよくなるので、収納室１２１内の残水を効率よく乾燥させることができ、スケールが収納室１２１内に発生するのを抑制することができる。
【００８０】
図６に示すように、開口部１２４は、ケーシング１２の下端側に形成されている。この場合、前壁部１２２は、噴霧装置６０の前側全体を覆っているので、例えばボウル部１０１から跳ねた尿や汚水が噴霧装置６０にかかるのを抑制することができる。
【００８１】
一方、底壁部１２３は、噴霧部６２の下方を覆っている。これにより、例えばボウル部１０１から跳ねた尿や汚水が収納室１２１内に浸入するのを抑制することができる。また、図７に示すように、収納室１２１は、底壁部１２３を有することにより、収納室１２１内（噴霧部６２）に供給された水Ｗ２を一時的に貯留可能となっている。すなわち、管路４３の給水口４３ａから収納室１２１内に供給された水Ｗ２は、底壁部１２３上に一時的に溜まって、開口部１２４から排出される。従って、収納室１２１内の広い範囲に水Ｗ２を行き渡らせて、収納室１２１内に付着した汚水や汚物を洗い流すことができるとともに、広い範囲の除菌を行うことができる。
【００８２】
底壁部１２３は、上面１２３ｂが便器１００の内面１０１ａに向けて下方に傾斜する傾斜面を有している。すなわち、底壁部１２３は、上面１２３ｂが開口部１２４に向けて下降傾斜している。図８に示すように、収納室１２１内に供給された水Ｗ２は、底壁部１２３の上面１２３ｂを伝わって開口部１２４からボウル部１０１内に排出させることができる。従って、底壁部１２３の上面１２３ｂに残水が発生するのを低減することができるので、収納室１２１にスケールや菌が繁殖するのを抑制することができる。
【００８３】
噴霧装置６０は、ケーシング１２の内部に設けられている。噴霧装置６０は、便座装置１０が便器１００の上部に設置された状態において、便座１４よりも下方に配置され、便器１００内に向けてミストＭ１，Ｍ２を噴霧する。ここで、噴霧装置６０が便座１４よりも下方に配置されている状態とは、噴霧装置６０の少なくとも一部（この例では噴霧部６２）が便座１４よりも下方であることをいう。これにより、便座１４よりも下方から、便器１００内に水道水または除菌水のミストＭ１，Ｍ２が噴霧される。
【００８４】
噴霧装置６０は、モータ６１と、モータ６１の下方に接続され板状に形成された噴霧部６２と、を有する。モータ６１の回転は、制御装置７０によって制御される。噴霧部６２は、噴霧部６２に供給される水Ｗ２を回転による遠心力を利用してミスト化することが可能な回転盤（ディスク）となっている。噴霧部６２は、収納室１２１内に配設されている。すなわち、噴霧部６２は、周囲が取り囲まれている。
【００８５】
噴霧部６２の上方には、管路４３の給水口４３ａが設けられている。給水口４３ａから噴霧部６２の上面６２ａに水Ｗ２（水または除菌装置５４で生成された除菌水）が供給される。モータ６１が回転すると、回転の駆動力が噴霧部６２に伝達され、噴霧部６２が回転する。噴霧部６２の回転中に、水Ｗ２が供給されることで、噴霧部６２は水Ｗ２をミスト状にして噴霧する。すなわち、噴霧装置６０は、噴霧部６２の回転によりミストＭ１，Ｍ２を生成する回転霧化式となっている。
【００８６】
なお、第１実施形態では、管路４３の給水口４３ａを２個設けているが、これに限らず、１個または３個以上設けてもよい。例えば、複数の給水口４３ａを噴霧部６２の外周に沿って略等間隔に配置することにより、噴霧装置６０の周囲において、ミストＭ１，Ｍ２の粒径や流量の偏りを抑え、均一な噴霧を行うことができる。
【００８７】
噴霧部６２は、例えば円錐形状からなり、水Ｗ２が滴下される上面６２ａが中央側から径方向外側に向けて下向きに傾斜している。すなわち、噴霧部６２の上面６２ａは、前壁部１２２側では開口部１２４に向けて傾斜している。噴霧部６２は、径方向外側の端部６２ｂからミストＭ１，Ｍ２を噴霧する。
【００８８】
回転する噴霧部６２の上面６２ａに滴下された水Ｗ２は、遠心力によって噴霧部６２上で膜状に広がり、端部６２ｂから放射される。この場合、噴霧部６２は、上面６２ａが傾斜しているので、水平方向に対して下方に向けてミストＭ１，Ｍ２を噴霧する。すなわち、噴霧部６２の上面６２ａに滴下された水Ｗ２は、端部６２ｂから開口部１２４に向かって横長状に噴霧される。
【００８９】
ここで、水Ｗ２は、噴霧部６２の端部６２ｂから開口部１２４に向かって膜状のまま分裂したり、糸状となった後に分裂したりして、その後に微粒子（ミスト）となる。噴霧部６２の回転速度、すなわち、モータ６１の回転速度によって、ミストＭ１，Ｍ２の噴霧流速Ｖ１，Ｖ２および粒径を制御することができる。この場合、回転速度が高い程、ミストの噴霧流速は高くなるとともに、ミストの粒径は小さくなる。また、管路４３の給水口４３ａから噴霧装置６０に供給される水Ｗ２の流量を調整することにより、ミストの噴霧流速および粒径を制御することもできる。
【００９０】
図１０（ａ）、図１０（ｂ）は、噴霧部洗浄工程と便器洗浄工程とで噴霧部から噴霧されるミストを模式的に示す模式図である。図１０（ａ）は、噴霧部洗浄工程を実行したときに噴霧部から噴霧されるミストを模式的に示す模式図である。図１０（ｂ）は、便器洗浄工程を実行したときに噴霧部から噴霧されるミストを模式的に示す模式図である。
図１１（ａ）、図１１（ｂ）は、噴霧部から噴霧されたミストの噴霧流速を計測する場合の一例を示す模式図である。図１１（ａ）は、噴霧部から噴霧されたミストを上方からみた平面図である。図１１（ｂ）は、図１１（ａ）中の噴霧部およびミストを矢示Ｅ−Ｅ方向からみた側面図である。
【００９１】
制御装置７０は、噴霧部洗浄工程を実行する場合に、便器洗浄工程よりも少ない単位時間あたりの回転量で噴霧部６２を回転させる。これにより、図１０（ａ）に示すように、噴霧部洗浄工程で噴霧部６２から噴霧されるミストＭ１は、便器洗浄工程で噴霧部６２から噴霧されるミストＭ２の粒径よりも大きい粒径となり、かつ便器洗浄工程で噴霧部６２から噴霧されるミストＭ２の噴霧流速Ｖ２よりも遅い噴霧流速Ｖ１となっている。
【００９２】
図１１に示すように、噴霧部６２から噴霧されるミストＭ１の噴霧流速Ｖ１およびミストＭ２の噴霧流速Ｖ２は、例えば２軸レーザドップラ流速計８０により計測することができる。この場合、計測点Ｘは、噴霧部６２の先端からの水平距離Ｌ（例えば、Ｌ＝１００ｍｍ）の位置で、２軸レーザドップラ流速計８０のレーザ交点がミストＭ１，Ｍ２の密なエリアＳ（ボリュームゾーン）の中心に設定することができる。なお、ミストの噴霧流速の計測方法は、これに限らず他の方法により計測してもよい。
【００９３】
また、ミストＭ１，Ｍ２の粒径は、噴霧部６２の先端からの水平距離Ｌの位置で、粒子径分布測定装置（図示せず）を用いたレーザ回折法で計測することができる。粒径の測定においては、発光部が発するレーザを噴霧部６２から噴霧されるミストＭ１，Ｍ２に照射して、受光部がレーザの照射によって生じた回折散乱光を受光する。これにより、光強度分布パターンを検出して、粒径を計測することができる。
【００９４】
なお、粒径とは、例えばザウター平均粒径（総体積／総表面積）である。便器洗浄工程でのミストＭ２の粒径は、１０マイクロメートル（μｍ）以上３００μｍ以下の範囲となっている。ミストＭ２の粒径の範囲は、好ましくは３０μｍ以上１００μｍ以下の範囲であり、より好ましくは３０μｍ以上６０μｍ以下である。
【００９５】
ミストＭ２の粒径が１０μｍ未満であると、ボウル部１０１、リム部１０２、便座１４などの対象部位を濡らすために長い時間が必要となってしまう。また、次亜塩素酸を含む除菌水を用いた場合、ミストＭ２の粒径が１０μｍ未満であると、ミストＭ２中の次亜塩素酸の濃度が減衰しやすく、除菌性能が低下しやすい。一方、ミストＭ２の粒径が３００μｍより大きいと、ミストＭ２が拡散しにくく、広範囲にミストＭ２を噴霧することが困難となる。従って、便器洗浄工程では、ミストＭ２の粒径が１０μｍ以上３００μｍ以下となるように、噴霧装置６０のモータ６１の回転速度が制御される。
【００９６】
一方、噴霧部洗浄工程でのミストＭ１の粒径は、３００μｍ以上９００μｍ以下の範囲となっている。なお、ミストＭ１の粒径は、この範囲に限らず、３００μｍ未満の粒径のミストおよび９００μｍよりも大きい粒径のミストを含んでいてもよい。ミストＭ１の粒径を３００μｍ以上とすることで、汚れを含んでいる可能性のあるミストＭ１を便器１００の内面１０１ａおよび便座１４に拡散するのを抑制できる。すなわち、ミストＭ１は、粒径が大きく、噴霧流速が低いので、ミストＭ１の多くを溜水Ｗ１に落とすことができる。従って、噴霧部洗浄工程でのモータ６１の回転速度は、便器洗浄工程でのモータ６１の回転速度よりも遅く（低速で）制御される。モータ６１の回転速度は、噴霧部６２の形状、大きさなどに基づき、実験、シミュレーションなどにより設定される。なお、噴霧部洗浄工程では、噴霧部６２の回転速度が遅いので、噴霧部６２から多くの水Ｗ２が流れ落ちる。この水Ｗ２は、収納室１２１内を洗浄して、開口部１２４から便器１００の内部に向けて排出される。
【００９７】
第１実施形態によるトイレ装置１および便座装置１０は、上述の如き構成を有するもので、次に制御装置７０および噴霧装置６０の作動について説明する。
【００９８】
制御装置７０は、管路４３の給水口４３ａから噴霧部６２の上面６２ａに水Ｗ２（水道水または除菌水）が供給された状態で噴霧部６２を駆動することにより、ミストＭ２を噴霧して便器１００の内面１０１ａおよび便座１４に着水させる便器洗浄工程を実行する。便器洗浄工程は、トイレ装置１の使用前、使用後、および所定の時間毎などに実行される。これにより、便器１００および便座１４に汚れが付着するのを抑制したり、除菌したりすることができる。
【００９９】
ところで、上述した従来技術では、噴霧部が便器から跳ねた汚水や汚物などにより、汚染される虞がある。噴霧部が汚染された場合には、汚染されたミストが噴霧部から噴霧されて、便器および便座の清潔性を保つことが困難になる。そこで、第１実施形態では、便器１００および便座１４にミストＭ２を噴霧する便器洗浄工程を実行する前に、噴霧部６２を洗浄する噴霧部洗浄工程を実行している。
【０１００】
図１２は、制御装置が行う噴霧部洗浄工程と便器洗浄工程との制御処理の一例を示す流れ図である。図１２に示す制御処理は、制御装置７０のメモリ（図示せず）にあらかじめ格納（記憶）されている。また、図１２に示す制御処理は、トイレ装置１および便座装置１０に電源が投入されてから、所定の制御周期で繰り返し実行される。なお、流れ図の各ステップは、それぞれ「Ｓ」という表記を用い、例えばステップ１を「Ｓ１」として示すものとする。
【０１０１】
まず、Ｓ１では、トイレ室への入室検知があるか否かを判定する。すなわち、制御装置７０は、人体検知センサ２２の検知情報により、使用者がトイレ装置１に近づいていることを判定する。そして、Ｓ１で「ＹＥＳ」、すなわち入室検知ありと判定された場合には、Ｓ２に進む。一方、Ｓ１で「ＮＯ」、すなわち入室検知なしと判定された場合には、Ｓ９に進む。
【０１０２】
Ｓ２では、噴霧部洗浄工程を実行する。すなわち、制御装置７０は、管路４３の給水口４３ａから水または除菌水を収納室１２１内に供給して、噴霧部６２と収納室１２１とを洗浄する。噴霧部洗浄工程での具体的な制御処理については、後述で説明する。
【０１０３】
次のＳ３では、便器洗浄工程（プレミストモード）を実行する。すなわち、制御装置７０は、使用者のトイレ装置１の使用前に、除菌水または水道水のミストＭ２を噴霧して便器１００の内面１０１ａを濡らす。これにより、便器１００の内面１０１ａに汚物が付着するのを抑制することができる。この場合、Ｓ２で噴霧部６２と収納室１２１とが洗浄されているので、常に清潔性のあるミストＭ２が噴霧される。
【０１０４】
次のＳ４では、便座１４への着座検知があるか否かを判定する。すなわち、制御装置７０は、着座検知センサ２０の検知情報により、使用者が便座１４に着座したか否かを判定する。そして、Ｓ４で「ＹＥＳ」、すなわち、着座検知ありと判定された場合には、Ｓ５に進む。一方、Ｓ４で「ＮＯ」、すなわち、着座検知なしと判定された場合には、エンドとなる。
【０１０５】
次のＳ５では、局部洗浄が実行される。すなわち、制御装置７０は、手動操作部２４からの検知情報により、身体洗浄機能部５８のノズル５８ａを便器１００のボウル部１０１内に進出させる。そして、制御装置７０は、切替弁５６を管路４１が開状態となるように切替えて、ノズル５８ａの先端部に設けられた吐水口５８０から便座１４に着座した使用者の局部に向けて水を吐水する。これにより、使用者の「おしり」などを洗浄することができる。
【０１０６】
この場合、ノズル５８ａの吐水口５８０から噴出する水の粒径は、噴霧部６２から噴霧されるミストＭ１の粒径よりも大きくなっている。すなわち、吐水口５８０から距離Ｌ（例えば、Ｌ＝１００ｍｍ）での水の粒径は、９００μｍよりも大きくなっている。なお、吐水口５８０から吐出される水の粒径は、９００μｍ以下の水の粒径が含まれていてもよい。そして、制御装置７０は、手動操作部２４からの検知情報により、送風装置３２から使用者の局部に向けて風を送り、局部を乾燥させることができる。
【０１０７】
次のＳ６では、便座１４から離座検知があるか否かを判定する。すなわち、制御装置７０は、着座検知センサ２０の検知情報により、使用者が便座１４から離座したか否かを判定する。換言すると、制御装置７０は、使用者がトイレ装置１の使用を終わらせたか否かを判定する。従って、Ｓ６での判定は、着座検知センサ２０による離座検知に限らず、人体検知センサ２２により、トイレ室からの退室を検知してもよい。そして、Ｓ６で「ＹＥＳ」、すなわち、離座検知ありと判定された場合には、Ｓ７に進む。一方、Ｓ６で「ＮＯ」、すなわち離座検知なしと判定された場合には、使用者の離座を監視する。
【０１０８】
Ｓ７では、噴霧部洗浄工程を実行する。この噴霧部洗浄工程は、Ｓ２と同様の制御処理がなされる。なお、Ｓ７で実行される噴霧部洗浄工程は、使用者の離座検知後に実行されるものであるので、Ｓ２で実行される噴霧部洗浄工程よりも長い時間をかけてもよい。噴霧部洗浄工程での具体的な制御処理については、後述で説明する。
【０１０９】
次のＳ８では、便器洗浄工程（アフターミストモード）が実行される。すなわち、制御装置７０は、使用者のトイレ装置１の使用後に、除菌水のミストＭ２を噴霧して便器１００の内面１０１ａおよび便座１４にミストＭ２を着水させて、エンドとなる。この場合、Ｓ７で噴霧部洗浄工程が実行されているので、アフターミストモードを実行するときには常に清潔性のあるミストＭ２が噴霧される。これにより、便器１００の内面１０１ａおよび便座１４の除菌を行うことができ、便器１００および便座１４の黄ばみや菌の繁殖を抑制することができる。
【０１１０】
Ｓ９では、所定時間経過したか否かを判定する。すなわち、制御装置７０は、トイレ装置１（便座装置１０）の入室がない状態が所定時間経過したか否かを判定する。この所定時間は、例えばトイレ装置１の長期間の使用がない場合を判断するものであり、数時間（例えば、２〜４時間）単位で設定されている。また、Ｓ９では、トイレ装置１の不使用時間が所定時間経過した場合に限らず、あらかじめ定められた所定の時刻や、制御装置７０がトイレ装置１の不使用時間帯を学習制御して設定した所定の時刻としてもよい。そして、Ｓ９で「ＹＥＳ」、すなわち、所定時間が経過したと判定された場合には、Ｓ１０に進む。一方Ｓ９で「ＮＯ」、すなわち、所定時間が経過していないと判定された場合には、エンドとなる。
【０１１１】
Ｓ１０では、噴霧部洗浄工程が実行される。この噴霧部洗浄工程は、トイレ装置１の使用が所定時間ない場合に実行されるものである。これにより、トイレ装置１の使用が長期間なくても、噴霧部６２の洗浄が行われるので、噴霧部６２と収納室１２１との清潔性を維持することができる。そして、噴霧部洗浄工程が終了すると、エンドとなる。Ｓ１０での噴霧部洗浄工程は、Ｓ２と同様の制御処理がなされる。なお、Ｓ１０で実行される噴霧部洗浄工程は、使用者の離座検知後に実行されるものであるので、Ｓ２で実行される噴霧部洗浄工程よりも長い時間をかけてもよい。噴霧部洗浄工程での具体的な制御処理については、後述で説明する。なお、Ｓ１０の後に、便器洗浄工程（定期ミストモード）を行ってもよい。定期ミストモードを行うことにより、トイレ装置１の使用が長期間なくても、便器１００と便座１４との清潔性を維持することができる。
【０１１２】
次に、図１３は、図１２中のＳ２、Ｓ７、Ｓ１０で実行される噴霧部洗浄工程の制御処理を示す流れ図である。図１３に示す制御処理は、制御装置７０のメモリにあらかじめ格納（記憶）されている。
【０１１３】
まず、Ｓ１１では、給水動作を開始する。すなわち、制御装置７０は、切替弁５６を管路４３が開状態となるように切替えて、噴霧部６２（収納室１２１内）に水Ｗ２（水または除菌水）を供給する。これにより、図７、図９（ｂ）に示すように、収納室１２１の内部には、水Ｗ２が一時的に貯留される。
【０１１４】
次のＳ１２では、所定時間経過したか否かを判定する。すなわち、制御装置７０は、給水動作が開始されてからの時間を計測する。従って、この所定時間は、数秒（例えば、３秒未満）の短い時間として設定されている。そして、Ｓ１２で「ＹＥＳ」、すなわち所定時間経過したと判定された場合には、Ｓ１３に進む。一方、Ｓ１２で「ＮＯ」、すなわち所定時間経過していないと判定された場合には、時間の計測を継続する。
【０１１５】
Ｓ１３では、噴霧部の動作を開始する。すなわち、制御装置７０は、モータ６１を回転駆動させて、噴霧部６２を回転させる。これにより、図８、図９（ｃ）に示すように、収納室１２１の内部の水Ｗ２を撹拌させて、噴霧部６２および収納室１２１の汚れを削ぎ落とすことができる。この場合、制御装置７０は、モータ６１を便器洗浄工程での回転速度よりも低速で回転させる。これにより、噴霧部６２から噴霧されるミストＭ１は、噴霧流速が低く抑えられ、かつ粒径が大きくなるので、便器１００の内面１０１ａに拡散されるのを抑制することができる。
【０１１６】
なお、制御装置７０は、噴霧部６２を時計回りの回転と反時計回りの回転とを繰り返すようにモータ６１を制御してもよい。すなわち、制御装置７０は、モータ６１を正回転と逆回転とを切替えることにより、収納室１２１の内部の水Ｗ２を正回転撹拌と逆回転撹拌とした撹拌洗浄とすることができる。これにより、噴霧部６２および収納室１２１の汚れを効果的に落とすことができ、噴霧部６２と収納室１２１との清掃性を向上することができる。
【０１１７】
Ｓ１４では、所定時間経過したか否かを判定する。すなわち、制御装置７０は、噴霧部６２の動作が開始されてからの時間を計測する。従って、この所定時間は、数秒（例えば、１０秒未満）の短い時間として設定されている。そして、Ｓ１４で「ＹＥＳ」、すなわち所定時間経過したと判定された場合には、Ｓ１５に進む。一方、Ｓ１２で「ＮＯ」、すなわち所定時間経過していないと判定された場合には、時間の計測を継続する。
【０１１８】
次のＳ１５では、給水動作を停止する。すなわち、制御装置７０は、切替弁５６を管路４３が閉状態となるように切替えて、噴霧部６２（収納室１２１内）への水Ｗ２の供給を停止する。そして、次のＳ１６では、噴霧部の動作を停止する。すなわち、制御装置７０は、モータ６１の駆動を停止することにより、噴霧部６２の回転動作を停止させて、エンドとなる。なお、Ｓ１５とＳ１６とは、実行されなくてもよい。すなわち、水Ｗ２の給水を停止させずに、噴霧部６２の回転速度を高くして、継続して便器洗浄工程を実行してもよい。
【０１１９】
次に、時間経過とともに実行される噴霧部洗浄工程と便器洗浄工程とについて説明する。
図１４は、入室検知、着座検知、局部洗浄、噴霧部洗浄工程、および便器洗浄工程を実行する場合の一例を示すタイムチャートである。
【０１２０】
まず、時刻ｔ１でトイレ室への入室検知が「ＯＮ」（入室）となると、噴霧部出力が「ＯＦＦ」から「小」に切替わる。この噴霧部出力が「小」は、噴霧部洗浄工程の実行状態を意味しており、噴霧部６２から噴霧されるミストＭ１のエネルギが小さい（噴霧流速が小さい）ということである。
【０１２１】
噴霧部洗浄工程が実行されてから所定時間が経過した時刻ｔ２では、噴霧部洗浄工程が終了して、噴霧部出力が「小」から「大」に切替わる。噴霧部出力が「大」は、便器洗浄工程の実行状態を意味しており、噴霧部６２から噴霧されるミストＭ２のエネルギが噴霧部洗浄工程のエネルギよりも大きい（噴霧流速が大きい）ということである。時刻ｔ２に開始される便器洗浄工程は、便器１００の内面１０１ａを濡らすプレミストモードである。
【０１２２】
なお、噴霧部出力は、「小」から「ＯＦＦ」を介して「大」となってもよい。換言すると、噴霧部洗浄工程から便器洗浄工程への実行は、噴霧部６２の回転を低速から高速に切替えることにより継続してなされてもよいし、噴霧部６２の回転を停止させてから噴霧部６２の回転を高速にしてもよい。以下に述べる噴霧部洗浄工程から便器洗浄工程への実行についても同様である。
【０１２３】
そして、便器洗浄工程が実行されてから所定時間が経過した時刻ｔ３では、噴霧部出力が「大」から「ＯＦＦ」に切替わり、便器洗浄工程が終了する。この場合、便器洗浄工程は、使用者がトイレ室に入室してから便座１４に着座するまでの間に終了するように、実験、シミュレーションなどによりその期間が設定されている。
【０１２４】
そして、時刻ｔ４では、使用者の便座１４への着座に基づき、着座検知が「ＯＦＦ」から「ＯＮ」（着座）となり、時刻ｔ５では、使用者による手動操作部２４の操作に基づき、局部洗浄が「ＯＦＦ」から「ＯＮ」（局部洗浄開始）となる。時刻ｔ６では、使用者の手動操作部２４の操作に基づき、局部洗浄が「ＯＮ」から「ＯＦＦ」（局部洗浄終了）となる。
【０１２５】
時刻ｔ７では、使用者の便座１４からの離座に基づき、着座検知が「ＯＮ」から「ＯＦＦ」（離座）となる。すなわち、使用者によるトイレ装置１の使用が終了する。そして、噴霧部出力が「ＯＦＦ」から「小」に切替わり、噴霧部洗浄工程が開始される。時刻ｔ８では、噴霧部出力が「小」から「大」に切替わる。すなわち、噴霧部洗浄工程から便器洗浄工程に切替わる。この便器洗浄工程は、便器１００の内面１０１ａと便座１４とに除菌水からなるミストＭ２を着水させるアフターミストモードである。
【０１２６】
そして、時刻ｔ９では、噴霧部出力が「大」から「ＯＦＦ」に切替わり、便器洗浄工程（アフターミストモード）が終了する。そして、時刻ｔ１０では、使用者がトイレ室から退室することにより、入室検知が「ＯＮ」から「ＯＦＦ」となる。このように、トイレ装置１が頻繁に使用される使用時間帯では、便器洗浄工程としてのプレミストモードおよびアフターミストモードで清潔なミストＭ２を噴霧させるために、便器洗浄工程の前に噴霧部洗浄工程が実行される。
【０１２７】
その後、トイレ装置１の使用がなされずに、所定の時間が経過した時刻ｔ１１では、噴霧部出力が「ＯＦＦ」から「小」となり、噴霧部洗浄工程が実行される。この噴霧部洗浄工程は、トイレ装置１の使用頻度が少ない不使用時間帯に実行されるもので、噴霧部６２および収納室１２１に菌が繁殖するのを予防することができる。そして、時刻ｔ１２では、噴霧部出力が「小」から「ＯＦＦ」となり、噴霧部洗浄工程が終了する。なお、この噴霧部洗浄工程の後に、便器洗浄工程としての定期ミストモードを実行してもよい。このように、トイレ装置１の使用頻度が少ない不使用時間帯で便器洗浄工程を実行することにより、便器１００および便座１４に菌が繁殖するのを抑制することができ、清潔性を維持することができる。
【０１２８】
そして、時刻ｔ１３では、使用者がトイレ室に入室することにより、入室検知が「ＯＦＦ」から「ＯＮ」となる。これとともに、噴霧部出力が「ＯＦＦ」から「大」となり、便器洗浄工程が開始される。この場合、時刻ｔ１３の以前である時刻ｔ１１から時刻ｔ１２の間に噴霧部洗浄工程が実行されており、時刻ｔ１２からｔ１３の間にトイレ装置１が使用されていないので、使用者のトイレ室への入室検知とともに便器洗浄工程（プレミストモード）が実行される。なお、この場合にも、便器洗浄モードの直前に噴霧部洗浄工程を実行してもよい。そして、時刻ｔ１４では、噴霧部出力が「大」から「ＯＦＦ」となり、便器洗浄工程が終了する。
【０１２９】
時刻ｔ１５では、着座検知が「ＯＦＦ」から「ＯＮ」となり、時刻ｔ１６では、使用者による手動操作部２４の操作に基づき、局部洗浄が「ＯＦＦ」から「ＯＮ」となる。時刻ｔ１７では、使用者の手動操作部２４の操作に基づき、局部洗浄が「ＯＮ」から「ＯＦＦ」となる。
【０１３０】
時刻ｔ１８では、着座検知が「ＯＮ」から「ＯＦＦ」となる。すなわち、使用者によるトイレ装置１の使用が終了する。そして、噴霧部出力が「ＯＦＦ」から「小」に切替わり、噴霧部洗浄工程が開始される。時刻ｔ１９では、噴霧部出力が「小」から「大」に切替わり、便器洗浄工程（アフターミストモード）が開始される。
【０１３１】
そして、時刻ｔ２０では、噴霧部出力が「大」から「ＯＦＦ」に切替わり、便器洗浄工程（アフターミストモード）が終了する。そして、時刻ｔ２１では、使用者がトイレ室から退室することにより、入室検知が「ＯＮ」から「ＯＦＦ」となる。
【０１３２】
かくして、第１実施形態によるトイレ装置１および便座装置１０によれば、ミストＭ１，Ｍ２を噴霧する噴霧部６２をケーシング１２の内部に設けているので、噴霧部６２が汚水や汚物により汚染されるのを抑制することができる。また、制御装置７０は、噴霧部６２によってミストＭ２を噴霧する便器洗浄工程を実行するよりも前に、噴霧部６２に水または除菌水を供給することによって噴霧部６２を洗浄する噴霧部洗浄工程を実行する。すなわち、噴霧部洗浄工程は、前回に実行された便器洗浄工程の後で、次回に実行される便器洗浄工程よりも前に実行される。これにより、汚染されたミストＭ２が噴霧されるのを低減することができるので、使用者が触れる便座１４に汚染されたミストＭ２が着水したり、トイレ空間内に汚染されたミストＭ２が浮遊したりするのを抑制できる。
【０１３３】
また、噴霧部６２が収納された収納室１２１に底壁部１２３を設けることにより、使用者による排泄行為に伴い便器１００の内面１０１ａから跳ねた汚水や汚物が収納室１２１に浸入するのを抑制することができる。また、仮に汚水や汚物が収納室に浸入したとしても、収納室１２１は噴霧部６２に供給される水または除菌水を一時的に貯留可能であるため、底壁部１２３の広い範囲に水または除菌水を行き渡らせることができ、収納室１２１内に付着した汚水や汚物を洗い流すことができる。
【０１３４】
また、底壁部１２３は、便器１００の内面１０１ａに向けて傾斜する傾斜面を有しているので、底壁部１２３上の残水は傾斜面に沿って便器１００の内部へと導かれる。これにより、収納室１２１の内部に残水が発生するのを低減して、収納室１２１の内部にスケールや菌が繁殖するのを抑制することができる。
【０１３５】
また、噴霧部洗浄工程では、便器洗浄工程よりも低い噴霧流速Ｖ１となるようにミストＭ１を噴霧することで、便器１００の内面１０１ａにミストＭ１が噴霧されるのを低減しつつ、収納室１２１の内部にミストＭ１を噴霧して収納室１２１および噴霧部６２の洗浄を行うことができる。また、収納室１２１に一時的に貯留された水または除菌水を撹拌させて収納室１２１と噴霧部６２との洗浄を行うことができる。その結果、便器洗浄工程を実行した場合に、使用者が触れる便座１４に汚染されたミストＭ２が着水したり、トイレ空間内に汚染されたミストＭ２が浮遊したりするのを抑制できる。
【０１３６】
また、噴霧部６２は、水または除菌水のミスト化を回転盤の回転による遠心力を利用している。そして、噴霧部洗浄工程では、回転盤の単位時間あたりの回転量を少なくすることで、ミストＭ１の噴霧流速Ｖ１を低くして、便器１００の内面１０１ａに向けてミストＭ１が噴霧されるのを低減しつつ、多くのミストＭ１を収納室１２１に着水させている。これにより、収納室１２１を積極的に洗浄することができる。また、ミストＭ１は、回転盤から一方向だけではなく、周方向に噴霧されるので、収納室１２１の全体を洗浄することができる。さらに、収納室１２１に一時的に貯留された水または除菌水を回転盤で攪拌することにより、収納室１２１内に水または洗浄水の旋回流を作り出すことができるので、収納室１２１を効果的に洗浄することができる。
【０１３７】
また、噴霧部洗浄工程で噴霧部６２（回転盤）からミストＭ１を噴霧させるよりも前に、噴霧部６２に水または除菌水を供給することで、噴霧部６２に付着した汚水や汚物を洗浄することができる。これにより、使用者が触れる便座１４に汚染されたミストＭ２が着水したり、トイレ空間内に汚染されたミストＭ２が浮遊したりするのを抑制できる。
【０１３８】
次に、図１５は、本発明の第２実施形態による噴霧装置を示している。第２実施形態の特徴は、第１実施形態による回転霧化式の噴霧装置６０に変えて、超音波式の噴霧装置６００を設けたことにある。なお、第２実施形態では、上述した第１実施形態と同一の構成要素に同一符合を付し、その説明を省略する。
【０１３９】
図１５（ａ）は、収納室に超音波式の噴霧装置を設けた状態を示す断面図である。図１５（ｂ）は、噴霧部洗浄工程でのミストの噴霧状態を模式的に示す模式図である。図１５（ｃ）は、便器洗浄工程でのミストの噴霧状態を模式的に示す模式図である。
【０１４０】
噴霧装置６００は、ノズル５８ａから吐水される水よりも小さい粒径の水または除菌水からなるミストＭ１，Ｍ２を便器１００の内面１０１ａに向けて噴霧する噴霧部６２０を有する。この噴霧部６２０は、噴霧部６２０に供給される水または除菌水を、振動を利用してミスト化することが可能な振動部となっている。噴霧部６２０の上方には、管路４３の給水口４３ａが設けられている。
【０１４１】
噴霧部６２０は、管路４３の給水口４３ａから噴霧部６２０の上方に水Ｗ２（水または除菌水）が供給された状態で、振動することにより水Ｗ２をミスト化させて噴霧することができる。この場合、制御装置７０は、噴霧部洗浄工程を実行する場合に、便器洗浄工程よりも小さい振幅で振動部（噴霧部６２０）を振動させる。
【０１４２】
かくして、このように構成された第２実施形態においても、上述した第１実施形態と同様の作用、効果を得ることができる。第２実施形態による噴霧装置６００によれば、噴霧部洗浄工程での振動部の振幅を便器洗浄工程での振幅よりも小さくすることで、噴霧部洗浄工程でのミストＭ１の噴霧流速を便器洗浄工程でのミストＭ２の噴霧流速よりも低くすることができる。従って、噴霧部洗浄工程では、便器１００の内面１０１ａに向けてミストＭ１が噴霧されるのを低減しつつ、多くのミストＭ１を収納室１２１に着水させて、収納室１２１を積極的に洗浄することができる。また、振動部を振動させることにより、収納室１２１内に一時的に貯留された水または除菌水を振動させることができるので、収納室１２１に付着した汚れを効果的に洗浄することができる。
【０１４３】
次に、図１６は、本発明の第３実施形態による噴霧装置を示している。第３実施形態の特徴は、第１実施形態による回転霧化式の噴霧装置６０に変えて、水圧式の噴霧装置６０１を設けたことにある。なお、第３実施形態では、上述した第１実施形態と同一の構成要素に同一符合を付し、その説明を省略する。
図１６は、本発明の第３実施形態による水圧式の噴霧装置を示す断面図である。
【０１４４】
噴霧装置６０１は、ノズル５８ａから吐水される水よりも小さい粒径の水または除菌水からなるミストＭ１、Ｍ２を便器１００の内面１０１ａに向けて噴霧する噴霧部６２１を有する。この噴霧部６２１は、噴霧部６２１に供給される水または除菌水を、水圧を利用してミスト化することが可能な噴霧口部となっている。すなわち、噴霧装置６０１は、噴霧口部からミストＭ１，Ｍ２を噴霧することが可能な噴霧ノズルとなっている。噴霧装置６０１（噴霧ノズル）は、筒状に形成され、基端側に管路４３が接続されている。噴霧装置６０１の先端側は、管路４３から供給された水または除菌水が絞られる噴霧部６２１となっている。そして、制御装置７０は、噴霧部洗浄工程を実行する場合に、便器洗浄工程よりも単位時間あたりの噴霧口部（噴霧部６２１）に対する給水量を下げる。
【０１４５】
かくして、このように構成された第３実施形態においても、上述した第１実施形態と同様の作用、効果を得ることができる。第３実施形態では、噴霧部６２１（噴霧口部）への給水量を下げることにより、噴霧部６２１での水圧を低くしている。これにより、噴霧部６２１から噴霧されるミストＭ１の噴霧流速を低くすることができる。その結果、便器１００の内面１０１ａに向けてミストＭ１が噴霧されるのを低減しつつ、多くのミストＭ１を収納室１２１に着水させて、収納室１２１を積極的に洗浄することができる。また、噴霧部６２１から水または除菌水を噴霧することにより、収納室１２１に一時的に貯留された水または除菌水を攪拌して、収納室１２１内に水または洗浄水の旋回流を作り出すことができるので、収納室１２１を効果的に洗浄することができる。
【０１４６】
図１７（ａ）は、本発明の第１変形例による収納室の底壁部を示す断面図である。上述した第１実施形態による収納室１２１は、後方から開口部１２４に向けて下方に向けて傾斜した底壁部１２３を設けた場合を例に挙げて説明した。しかし、本発明はこれに限らず、例えば図１７（ａ）に示すように、収納室１２１は、底壁部１２５の上面１２５ａを便器１００の内面１０１ａに向けて緩やかに下方傾斜する傾斜面を有していてもよい。換言すると、収納室１２１は、上面１２５ａ（内面）が後方から前方（開口部１２４）に向けて緩やかに下方傾斜した傾斜面を有する底壁部１２５を設けていてもよい。このことは、第２、第３実施形態についても同様である。
【０１４７】
また、図１７（ｂ）は、本発明の第２変形例による収納室の底壁部を示す断面図である。図１７（ｂ）に示すように、収納室１２１は、便器１００の内部と収納室１２１の内部との間を貫通する貫通孔１２６ａを有する底壁部１２６を設けていてもよい。すなわち、底壁部１２６は、噴霧部６２の下方のうち一部を覆っていてもよい。この場合、底壁部１２６の上面１２６ｂは、便器１００の内面１０１ａに向けて下方傾斜している。換言すると、底壁部１２６の上面１２６ｂは、開口部１２４から貫通孔１２６ａに向けて下方に傾斜する傾斜面を有していてもよい。このことは、第２、第３実施形態についても同様である。
【０１４８】
図１８は、本発明の第３変形例による噴霧部洗浄工程の制御処理を示す流れ図である。上述した第１実施形態では、図１３の流れ図に示すように、給水動作を開始した後に噴霧部動作を開始させた場合を例に挙げて説明した。しかし、本発明はこれに限らず、例えば図１８のＳ２１〜Ｓ２６に示すように、噴霧部６２の動作を開始（Ｓ２１）した後に、噴霧部６２上への給水動作を開始（Ｓ２３）させてもよい。すなわち、制御装置７０は、図１３のＳ１１とＳ１３とを入れ替えて制御してもよい。
【０１４９】
これにより、モータ６１と噴霧部６２とを接続する軸部に沿って、水または除菌水がモータ６１に向けて巻き上げられるのを抑制することができる。その結果、水または除菌水が軸部に沿ってモータ６１内に浸入するのを抑制することができる。このことは、第１、第２変形例についても同様である。
【０１５０】
また、上述した第１実施形態では、噴霧部洗浄工程を実行する場合に、噴霧部６２を動作（回転）させた場合を例に挙げて説明した。しかし、本発明はこれに限らず、例えば噴霧部６２を動作させなくてもよい。すなわち、噴霧部洗浄工程は、管路４３の給水口４３ａから噴霧部６２に水Ｗ２を供給するのみでもよい。このことは、第２実施形態および第１、第２変形例についても同様である。
【０１５１】
また、上述した第１実施形態では、便器１００の後方に便座装置１０のケーシング１２が載置された場合を例に挙げて説明した。しかし、本発明はこれに限らず、例えばトイレ装置は、便器とケーシングとが一体となっていてもよい。また、トイレ装置は、ケーシングの内部に収納されている身体洗浄機能部５８および噴霧装置６０などの各機器を便器の内部に組み込むことにより、ケーシングを省略していてもよい。この場合、便座および便蓋は、便器に開閉自在に軸支される。このことは、第２、第３実施形態および第１〜第３変形例についても同様である。
【０１５２】
また、上述した第１実施形態では、プレミストモードの前およびアフターミストモードの前に噴霧部洗浄工程を実行した場合を例に挙げて説明した。しかし、本発明はこれに限らず、例えばプレミストモードの前には噴霧部洗浄工程を実行せずに、アフターミストモードの前のみに噴霧部洗浄工程を実行してもよい。すなわち、いずれの便器洗浄工程の前に噴霧部洗浄工程を実行するかは任意に設定することができる。このことは、第２、第３実施形態および第１〜第３変形例についても同様である。
【０１５３】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、トイレ装置および便座装置などが備える各要素の形状、寸法、材質、配置、設置形態などは、例示したものに限定されるわけではなく適宜変更することができる。また、前述した各実施形態が備える各要素は、技術的に可能な限りにおいて組み合わせることができ、これらを組み合わせたものも本発明の特徴を含む限り本発明の範囲に包含される。
【符号の説明】
【０１５４】
１ トイレ装置、 １０ 便座装置、 １２ ケーシング、 １２ａ 前壁、 １２ｂ 底壁、 １４ 便座、 １４ａ 座面、 １４ｂ 裏面、 １６ 便蓋、 ２０ 着座検知センサ、 ２２ 人体検知センサ、 ２４ 手動操作部、 ２６ 便座用モータ、 ２８ 便蓋用モータ、 ３０ 便座ヒータ、 ３２ 送風装置、 ３４ 温風ヒータ、 ３６ 風向き変更部、 ３６ａ 送風ダンパ、 ４０,４１,４２,４３ 管路、 ４３ａ 給水口、 ５０ 電磁弁、 ５２ バキュームブレーカ、 ５４ 除菌装置、 ５６ 切替弁、 ５８ 身体洗浄機能部、 ５８ａ ノズル、 ５８ｂ ノズルモータ、 ５８ｃ ノズル洗浄室、 ５８ｄ ノズルダンパ、 ６０，６００，６０１ 噴霧装置、 ６１ モータ、 ６２，６２０，６２１ 噴霧部、 ６２ａ 上面、 ６２ｂ 端部、 ７０ 制御装置、 ８０ ２軸レーザドップラ流速計、 １００ 便器、 １０１ ボウル部、 １０１ａ 内面、 １０２ リム部、 １０３ 上面、 １０４ 内壁面、 １２０ 開口、 １２１ 収納室、 １２２ 前壁部、 １２２ａ 下端、 １２２ｂ 前面、 １２３，１２５，１２６ 底壁部、 １２３ａ 前端、 １２３ｂ，１２５ａ，１２６ｂ 上面、 １２４ 開口部、 １２６ａ 貫通孔、 ５８０ 吐水口、 Ｍ１，Ｍ２ ミスト、 Ｗ１ 溜水、 Ｗ２ 水
【図１】
2020180484.tif 000003
【図２】
2020180484.tif 000004
【図３】
2020180484.tif 000005
【図４】
2020180484.tif 000006
【図５】
2020180484.tif 000007
【図６】
2020180484.tif 000008
【図７】
2020180484.tif 000009
【図８】
2020180484.tif 000010
【図９】
2020180484.tif 000011
【図１０】
2020180484.tif 000012
【図１１】
2020180484.tif 000013
【図１２】
2020180484.tif 000014
【図１３】
2020180484.tif 000015
【図１４】
2020180484.tif 000016
【図１５】
2020180484.tif 000017
【図１６】
2020180484.tif 000018
【図１７】
2020180484.tif 000019
【図１８】
2020180484.tif 000020